(57)【特許請求の範囲】
【請求項１】
電気設備のケーブルを屋内に引き込むために傾斜面に設けられた引込孔に設置されるカバー部材であって、
前記引込孔に対応する位置にケーブルを挿通するための挿通孔を有する平板部と、
前記挿通孔の上方を被覆するとともに傾斜方向下向きに開口する開口部を有するカバー部と、
前記平板部の裏面側の周縁部に設けられたシール部と、を備え、
前記カバー部は、互いに区画された複数の通路部を有し、
前記複数の通路部は、傾斜方向と直交する方向に並列に配置された３つの通路部を備え、
前記３つの通路部のうち両側の通路部の傾斜方向上側の端部は、中央の通路部の傾斜方向上側に回り込むように湾曲しており、
前記３つの通路部の傾斜方向上側の端部は、中心点が正三角形の頂点の位置となるように配置された３つの前記挿通孔にそれぞれ連通していることを特徴とするカバー部材。
【請求項２】
前記平板部の表面であって前記カバー部から傾斜方向下側に離間した位置に立設された抑え部を有し、
前記抑え部は、前記ケーブルを挿通するための貫通部を有することを特徴とする請求項１に記載のカバー部材。
【請求項３】
前記通路部の傾斜方向上側の端部は、上下方向に湾曲する壁面で構成されており、前記挿通孔の周縁部に滑らかに連続していることを特徴とする請求項１又は請求項２に記載のカバー部材。
【請求項４】
前記平板部の裏面から突出して前記引込孔に入り込むとともに前記挿通孔の周囲を囲う筒状の突出部をさらに備えることを特徴とする請求項１から請求項３のいずれか１項に記載のカバー部材。
【発明の詳細な説明】
【技術分野】
【０００１】
本発明は、カバー部材に関し、より詳しくは、傾斜した屋根上に設置した太陽光パネル等の電気設備から延びる配線を建物内に引き込むための引込孔をカバーするカバー部材に関する。
【背景技術】
【０００２】
従来、屋根上に設置した太陽光パネル等の電気設備から延びる配線を建物内に引き込む技術として、例えば特許文献１には、屋根を構成する防水パネルを貫通するとともに内部に配線類が挿通されるパイプ部材を備え、このパイプ部材に防水パネルの表面から上方に突出する立ち上がり部と、防水パネルの表面に密着可能な鍔部とを設けた配線類挿通用の屋根貫通構造が開示されている。
【先行技術文献】
【特許文献】
【０００３】
【特許文献１】特開平７−１９３９４８号公報
【発明の概要】
【発明が解決しようとする課題】
【０００４】
しかし、特許文献１に記載のパイプ部材は上下方向に開口しているので、上方から雨水などが浸入するおそれがある。
また、前記したパイプ部材は、防水パネルの表面から突出する立ち上がり部を備えているので、高さ寸法が大きくなってしまいレイアウト性に劣るという問題がある。また、配線をパイプ部材に挿通するためには、配線を屋根面から立ち上げてさらに下方に向かって屈曲させなければならず、作業が煩雑である上、屈曲によって配線が損傷を受ける可能性がある。
【０００５】
さらに、近年ＣＯ２排出量削減の要請から使用電力における自然エネルギーの利用比率を高めるために、一つの屋根に設置される太陽光パネルの枚数が増加する傾向にある。そのため、太陽光パネルのケーブルを小屋裏に引き込む本数が多くなるが、特許文献１に記載のパイプ部材は、上下方向に一つの孔が形成されているだけなので、パイプ部材に一つ目のケーブルを挿通した後に、２つ目のケーブルを挿通する場合に、一つ目のケーブルが邪魔になり作業性が悪い。また、パイプ部材の径を大きくすれば、ケーブルが邪魔になり難くなるが、開口面積が大きくなるため、屋根材の強度低下や漏水の危険性が増加するおそれがある。また、すべてのケーブルを束ねてからパイプ部材に同時に挿通する方法では、作業手順が制約されてしまう。
つまり、特許文献１に記載のパイプ部材は、多数のケーブルを引き込むのに適した構造になっていない。
【０００６】
本発明は、かかる問題を解決するためになされたものであり、高さ寸法を低減するとともに多数の配線を建物内に容易に引き込むことができるカバー部材を提供することを課題とする。
【課題を解決するための手段】
【０００７】
本発明は、電気設備のケーブルを屋内に引き込むために傾斜面に設けられた引込孔に設置されるカバー部材であって、前記引込孔に対応する位置にケーブルを挿通するための挿通孔を有する平板部と、前記挿通孔の上方を被覆するとともに傾斜方向下向きに開口する開口部を有するカバー部と、前記平板部の裏面側の周縁部に設けられたシール部と、を備え、前記カバー部は、互いに区画された複数の通路部を有し、前記複数の通路部は、傾斜方向と直交する方向に並列に配置された３つの通路部を備え、前記３つの通路部のうち両側の通路部の傾斜方向上側の端部は、中央の通路部の傾斜方向上側に回り込むように湾曲しており、前記３つの通路部の傾斜方向上側の端部は、中心点が正三角形の頂点の位置となるように配置された３つの前記挿通孔にそれぞれ連通していることを特徴とするカバー部材である。
【０００８】
かかる構成によれば、互いに区画された複数の通路部を有しているので、複数のケーブルを各通路部に分散して挿通することができる。そのため、一のケーブルを挿通する際に他のケーブルが邪魔にならないので、ケーブルの挿通作業が容易になる。また、カバー部の開口部が傾斜方向下向きに設けられているので、カバー部材の高さ寸法を抑えることができる。
また、かかる構成によれば、３つの通路部のうち両側の通路部の傾斜方向上側の端部が、中央の通路部の傾斜方向上側に回り込むように湾曲しており、前記３つの通路部の傾斜方向上側の端部は、中心点が正三角形の頂点の位置となるように配置された３つの前記挿通孔にそれぞれ連通しているので、３つの挿通孔を狭い範囲に効率よく配置でき、引込孔の径を小さくすることができる。
【０００９】
また、本発明は、前記平板部の表面であって前記カバー部から傾斜方向下側に離間した位置に立設された抑え部を有し、前記抑え部は、前記ケーブルを挿通するための貫通部を有する構成とするのが好ましい。
【００１０】
かかる構成によれば、カバー部に挿通したケーブルが下方に折り曲げられた際に、カバー部の開口部付近で上方に浮き上がろうとするケーブルを抑えつけることができる。そのため、ケーブルが浮き上がって逆勾配になることがなく、ケーブルからの伝い水による漏水を確実に防止することができる。
【００１１】
また、前記通路部の傾斜方向上側の端部は、上下方向に湾曲する壁面で構成されており、前記挿通孔の周縁部に滑らかに連続している構成とするのが好ましい。
【００１２】
かかる構成によれば、通路部の傾斜方向上側の端部は、上下方向に湾曲する壁面で構成されているので、通路部にケーブルを挿入すると、ケーブルの先端が上下方向に湾曲した壁面に沿って下方に折れ曲がり、挿通孔を通って引込孔から出てくることになる。また、通路部の傾斜方向上側の端部は、挿通孔の周縁部に滑らかに連続しているので、ケーブルの端部が挿通孔や引込孔に引っ掛かることがない。そのため、通路部にケーブルを押し込むだけで引込孔からケーブルを容易に引き出すことができる。
【００１５】
また、本発明は、前記平板部の裏面から突出して前記引込孔に入り込むとともに前記挿通孔の周囲を囲う筒状の突出部をさらに備える構成とするのが好ましい。
【００１６】
かかる構成によれば、引込孔の内周面が突出部によって覆われているので、引込孔の内周面にケーブルが接触することがなく、ケーブルの損傷を抑制することができる。
【発明の効果】
【００１７】
本発明によれば、高さ寸法を低減するとともに多数の配線を建物内に容易に引き込むことができるカバー部材を提供することができる。
【図面の簡単な説明】
【００１８】
【図１】本実施形態に係るカバー部材を備える屋根の斜視図である。
【図２】（ａ）は図１に示すＩ−Ｉ線の断面図であり、（ｂ）はカバー部材の拡大断面図である。
【図３】カバー部材と引込孔の設置状態を示す分解斜視図である。
【図４】（ａ）はカバー部材を上から見下ろした斜視図であり、（ｂ）はカバー部材を下から見上げた斜視図である。
【図５】（ａ）はカバー部材の平面図、（ｂ）はカバー部材の底面図である。
【図６】（ａ）は図５（ａ）のＡ−Ａ線断面図、（ｂ）は図５（ａ）のＢ−Ｂ線断面図である。
【図７】第１変形例に係るカバー部材の平面図である。
【図８】第２変形例に係るカバー部材の平面図である。
【図９】第３変形例に係るカバー部材の抑え部の断面図である。
【発明を実施するための形態】
【００１９】
本発明の実施形態について、図面を参照して詳細に説明する。説明において、同一の要素には同一の番号を付し、重複する説明は省略する。
【００２０】
図１は、本実施形態に係るカバー部材を備える屋根の斜視図である。
図１に示すように、屋根１０の傾斜面１１には、複数の太陽光パネル１２で構成された太陽光発電装置１３が設置されている。本実施形態では、太陽光発電装置１３は、屋根１０の勾配に平行な方向（以下、Ｘ方向という場合がある）に太陽光パネル１２を３枚配列するとともに、該勾配に直交する方向（以下、Ｙ方向という場合がある）に太陽光パネル１２を４枚配列して、合計１２枚の太陽光パネル１２で構成されている。なお、太陽光パネル１２の設置枚数は特に限定されるものではない。図示は省略するが、太陽光発電装置１３が設置されていない部分には、瓦材などの屋根部材が設置されている。
【００２１】
太陽光発電装置１３のＸ方向上側には、屋根１０の傾斜面１１と太陽光パネル１２の上面とをを結ぶ板状のテーパ部材１４が設けられている。テーパ部材１４の下側の傾斜面１１には、太陽光パネル１２のケーブル１２ｂを建物内に引き込むための円形の引込孔１５が設けられている。そして、この引込孔１５に、引込孔１５をカバーするカバー部材２０が設置されている。
【００２２】
太陽光パネル１２は、端子ボックス１２ａと、ケーブル１２ｂとを有している。ケーブル１２ｂは、隣接する太陽光パネル１２の端子ボックス１２ａに接続されている。太陽光パネル１２同士を直列に接続する個数には上限があり、本実施形態では、Ｙ方向に隣接する４つの太陽光パネル１２を一組として接続している。したがって、本実施形態では、３系統のケーブル１２ｂが、図１の右側に配置された３つの太陽光パネル１２から引込孔１５に向かって延出している。なお、ケーブル１２ｂは、＋側と−側の２本一組で一系統を構成している（図３参照）。
【００２３】
引込孔１５から建物内に引き込まれた３系統のケーブル１２ｂは、建物内に設置された接続箱１６で１系統に統合される。接続箱１６はパワーコンディショナー１７に接続されており、太陽光発電装置１３で発電された電流はここで交流電流に変換され、家庭用分電盤１８から各家庭用機器に配電される。
【００２４】
図２の（ａ）は図１に示すＩ−Ｉ線の断面図であり、（ｂ）は（ａ）の拡大断面図である。
図２に示すように、屋根１０の傾斜面１１は、３枚の下地板１１ａを重ねて構成されている。傾斜面１１には引込孔１５が形成されており、引込孔１５にはカバー部材２０が取り付けられている。カバー部材２０のさらに上側は、テーパ部材１４で覆われている。
なお、傾斜面１１には取付レール１９が設けられており、太陽光パネル１２は、ボルトＢなどの取付器具を介して取付レール１９に固定されている。
【００２５】
図３は、カバー部材と引込孔の設置状態を示す分解斜視図である。図４の（ａ）はカバー部材を上から見下ろした斜視図であり、（ｂ）はカバー部材を下から見上げた斜視図である。図５（ａ）はカバー部材の平面図、（ｂ）はカバー部材の底面図である。図６（ａ）は図５（ａ）のＡ−Ａ線断面図、（ｂ）は図５（ａ）のＢ−Ｂ線断面図である。
図２乃至図６に示すように、カバー部材２０は、引込孔１５を被覆して防水を図る部材であり、例えば樹脂材料による射出成型などで一体成型されている。カバー部材２０は、平板部２１と、カバー部２２と、突出部２３と、抑え部２４と、シール部２５と、を有している。カバー部材２０は、傾斜面１１にビス留めされている。
【００２６】
平板部２１は、引込孔１５の周囲を覆うフランジ状の部位である。平板部２１は、引込孔１５に対応する部分に、ケーブル１２ｂを挿通するための挿通孔２１ａを有している。平板部２１の傾斜方向上側の周縁部２１ｂは円弧状に形成されている。そのため、万が一、雨水等が傾斜面１１を流れてきた場合でも、雨水を周縁部２１ｂに沿ってカバー部材２０の左右両側に流下させて、引込孔１５から遠ざけることができる。
【００２７】
図３乃至図５（主に図５）に示すように、挿通孔２１ａは、例えば、複数の円弧を複合した形状に形成されている。本実施形態では、挿通孔２１ａの傾斜方向下側の周縁部は単一の円弧ｒ１（図５参照）で半円状に形成されているとともに、傾斜方向上側の周縁部は、３つの円弧ｒ２，ｒ３，ｒ４（図５参照）で形成されている。３つの円弧ｒ２，ｒ３，ｒ４のうち中央の円弧ｒ３は、両側の２つの円弧ｒ２，ｒ４よりも傾斜方向上側に延出している。
【００２８】
図５（ａ），（ｂ）に示すように、カバー部２２は、挿通孔２１ａの上側を覆うとともに、ケーブル１２ｂを挿通する通路を形成する部位である。本実施形態では、カバー部２２は、互いに平行に形成された３つのトンネル状の部位であり、第１通路部２２１と、第２通路部２２２と、第３通路部２２３と、を備えてなる。第１乃至第３通路部２２１，２２２，２２３は、互いに区画されており（図６（ａ）参照）、その傾斜方向下側には、ケーブル１２ｂを差し込むための開口部２２１ａ，２２２ａ，２２３ａがそれぞれ形成されている。第１乃至第３通路部２２１，２２２，２２３の傾斜方向上側の端部２２１ｂ，２２２ｂ，２２３ｂはそれぞれ上下方向に湾曲した壁面で閉塞されており、その下側に設けられた挿通孔２１ａの傾斜方向上側の周縁部を形成する３つの円弧ｒ２，ｒ３，ｒ４に滑らかに連続している。
【００２９】
ここで、第２通路部２２２の傾斜方向上側の端部２２２ｂの構造について、図２（ｂ）を参照して説明する。
図２（ｂ）に示すように、第２通路部２２２の傾斜方向上側の端部２２２ｂは、上下方向に湾曲した壁面で構成されており、かつ、挿通孔２１ａの傾斜方向上側の周縁部を構成する円弧ｒ３に滑らかに連続している。そのため、第２通路部２２２の開口部２２２ａからケーブル１２ｂを挿入すると、ケーブル１２ｂの先端が第２通路部２２２の傾斜方向上側の端部２２２ｂに当接する。その状態でさらにケーブル１２ｂを押し込むと、ケーブル１２ｂの先端が端部２２２ｂに沿って案内されて下向きに折れ曲がり、挿通孔２１ａから出てくることになる。そのため、ケーブル１２ｂをカバー部材２０に（引込孔１５に）挿通する作業が容易になる。
第１通路部２２１、第３通路部２２３についても、第２通路部２２２と略同様の構造であるので、詳細な説明を省略する。
【００３０】
主に図４（ｂ）に示すように、突出部２３は、引込孔１５に嵌合する円筒状の部位であり、平板部２１の裏面に突出形成されている。突出部２３は、引込孔１５の内周面を被覆している。これにより、ケーブル１２ｂが、引込孔１５の内周面と擦れ合ったり引っ掛かったりするのを抑制することができる。また、突出部２３は、カバー部材２０を引込孔１５に設置する際に位置決め部として機能する。
【００３１】
図２乃至図６に示すように、抑え部２４は、ケーブル１２ｂの浮き上がりを抑えるための門形の部位である。抑え部２４は、平板部２１の上面であってカバー部２２から傾斜方向下側に離間した位置に立設されている。抑え部２４は、カバー部２２の第１乃至第３通路部２２１，２２２，２２３に対応して、３つの貫通部２４ａ，２４ｂ，２４ｃを有している。図６（ｂ）に示すように、抑え部２４は、カバー部２２の開口部２２１ａ，２２２ａ，２２３ａ（図６（ａ）参照）よりも高さ寸法が小さく形成されている。
【００３２】
図３、図４（ｂ）、図５（ｂ）に示すように、シール部２５は、平板部２１の裏面の傾斜方向下側を除く周縁部に取り付けられる部材であり、例えばテープ状のブチルゴム（ブチルテープ）などで構成されている。シール部２５は、平面視で逆Ｕ字状に形成されており、平板部２１と下地板１１ａとの間に狭持されて雨水等が入り込むことを防止している。また、ブチルゴムによってビス留め部の防水を図っている。
なお、シール部２５の配置はこれに限定されるものではなく、平板部２１の裏面の全周に亘ってシール部２５を配置してもよい。
【００３３】
以上のように構成されたカバー部材２０によれば、カバー部２２が第１通路部２２１、第２通路部２２２、第３通路部２２３の３つに区画されているので、複数の（３つの）ケーブル１２ｂを挿入する際に、他のケーブル１２ｂが邪魔になることがないので、配線作業を容易に行なうことができる。また、第１通路部２２１、第２通路部２２２、第３通路部２２３が、Ｙ方向に並列に配置されているので、多数のケーブル１２ｂをＹ方向に分散して配置することができ、カバー部材２０の高さ寸法を抑制することができる。
【００３４】
また、第１乃至第３通路部２２１，２２２，２２３の傾斜方向上側の端部２２１ｂ，２２２ｂ，２２３ｂはそれぞれ上下方向に湾曲した壁面で閉塞されており、その下側に設けられた挿通孔２１ａの傾斜方向上側の３つの円弧ｒ２，ｒ３，ｒ４に滑らかに連続しているので、開口部２２１ａ，２２２ａ，２２３ａからケーブル１２ｂを差し込むと、端部２２１ｂ，２２２ｂ，２２３ｂに当接したケーブル１２ｂが湾曲した壁面に沿って案内されて挿通孔２１ａに向かって折れ曲がり、挿通孔２１ａを通って引込孔１５から出てくることになる。このとき、端部２２１ｂ，２２２ｂ，２２３ｂは円弧ｒ２，ｒ３，ｒ４に滑らかに連続しているので、ケーブル１２ｂが平板部２１や傾斜面１１に引っ掛かることがない。つまり、第１乃至第３通路部２２１，２２２，２２３にケーブル１２ｂを押し込むだけで、ケーブル１２ｂを引込孔１５から容易に引き出すことができる。
【００３５】
また、カバー部材２０は、抑え部２４を備えているので、ケーブル１２ｂの浮き上がりを抑えることができる。
より詳しく説明すると、仮に、抑え部２４が無い場合は、第１乃至第３通路部２２１，２２２，２２３の傾斜方向上側の端部２２１ｂ，２２２ｂ，２２３ｂにおいて、ケーブル１２ｂが下向きに折れ曲がると、その反動で、第１乃至第３通路部２２１，２２２，２２３の開口部２２１ａ，２２２ａ，２２３ａ付近ではケーブル１２ｂが浮き上がることとなる。浮き上がりによってケーブル１２ｂが逆勾配になる（引込孔１５側が低くなる）と、ケーブル１２ｂを伝って雨水等が引込孔１５に入り込み易くなってしまう。
本実施形態では、開口部２２１ａ，２２２ａ，２２３ａから傾斜方向下側に離間した位置に門型の抑え部２４が配置されているので、ケーブル１２ｂの浮き上がりを抑えてケーブル１２ｂが逆勾配になることを抑制することができる（図２（ａ）参照）。
【００３６】
また、カバー部材２０は、平板部２１の傾斜方向上側の周縁部２１ｂが円弧状に形成されているので、傾斜面１１を流れてきた雨水等を周縁部２１ｂに沿ってカバー部材２０の左右に流下させることができる。また、カバー部材２０は、シール部２５を備えるので、
傾斜面１１と平板部２１との間に雨水等が入り込むことを防止することができる。
【００３７】
以上、本発明の実施形態について図面を参照して詳細に説明したが、本発明はこれに限定されるものではなく、発明の主旨を逸脱しない範囲で適宜変更可能である。以下、変形例等について説明する。なお、変形例等の説明において、前記した実施形態と同一の要素には同一の符号を付し、重複する説明を省略する。
【００３８】
図７は、第１変形例に係るカバー部材の平面図である。
図７に示すように、第１変形例に係るカバー部材２０Ａは、カバー部２２を構成する第１乃至第３通路部２２１，２２２，２２３が、先端側（傾斜方向上側）に向かうほど先細りするように形成されている点が、前記した実施形態に係るカバー部材２０と異なっている。
【００３９】
かかる構成によれば、第１乃至第３通路部２２１，２２２，２２３が、先端側（傾斜方向上側）に向かうほど先細りするように形成されているので、挿通孔２１ａ及び突出部２３を小さくすることができ、ひいては引込孔１５を小さくすることができる。そのため、カバー部材２０Ａの小型化を図ることができるとともに、引込孔１５による屋根１０の強度低下を抑制することができる。
【００４０】
図８は、第２変形例に係るカバー部材の平面図である。
図８に示すように、第２変形例に係るカバー部材２０Ｂは、カバー部２２の両側の第１、第３通路部２２１，２２３が中央の第２通路部２２２の先端側に回り込むように湾曲している点、及び、第１乃至第３通路部２２１，２２２，２２３のそれぞれに対応した３つの挿通孔２１ｃ，２１ｄ，２１ｅが平板部２１に形成されている点が、前記した実施形態に係るカバー部材２０と異なっている。
【００４１】
第２変形例では、３つの挿通孔２１ｃ，２１ｄ，２１ｅは、その中心点が正三角形の頂点となる位置に配置されている。また、円筒状の突出部２３の内周円は、挿通孔２１ｃ，２１ｄ，２１ｅに外接する大きさに形成されている。これにより、３つの挿通孔２１ｃ，２１ｄ，２１ｅを効率よく配置して突出部２３をさらに小さくすることができ、ひいては引込孔１５を小さくすることができる。
また、第２変形例では、第１乃至第３通路部２２１，２２２，２２３だけでなく、挿通孔２１ｃ，２１ｄ，２１ｅも区画されているので、多数のケーブル１２ｂを一層容易に配線することができる。
【００４２】
図９は、第３変形例に係るカバー部材の抑え部の断面図である。
前記した実施形態では、抑え部２４を平板部２１と一体に形成するとともに、３つの貫通部２４ａ，２４ｂ，２４ｃを設ける構成としたが（図３参照）、例えば、図９の第３変形例に示すように、平板部２１と別体に設けた帯状部材Ｖの両端をビス留めすることで抑え部２４Ａを構成するようにしてもよい。この場合、幅広に形成された共通の（一つの）貫通部２４Ａａに３つのケーブル１２ｂが挿通されることとなる。
かかる構成によれば、必要に応じて、抑え部２４Ａを省略することが可能となり、ケーブル１２ｂを挿通する作業が容易になるとともに、材料費や施工手間を低減することができる。
【００４３】
また、本実施形態では、カバー部材２０を樹脂材料で形成することとしたが、本発明はこれに限られるものではなく、金属材料などで形成してもよいことはいうまでもない。
ちなみに、樹脂材料で形成した場合は、金属材料で形成する場合に比較して結露を抑制することができる。例えば、天井面（傾斜面１１）の内側に断熱材を配置してある建物の場合は結露が生じやすいので、樹脂材料で形成されたカバー部材２０を用いるのが好ましい。
【００４４】
また、本実施形態及び第１、第２変形例では、カバー部２２に３つの通路部（第１乃至第３通路部２２１，２２２，２２３）を設ける構成としたが、カバー部２２に設ける通路部の数は特に限定されるものではなく、２つでもよいし、４つ以上でもよい。
【００４５】
また、本実施形態では、カバー部材２０に突出部２３を一体形成したが、本発明はこれに限定されるものではなく、例えば突出部２３を省略してもよい。
【符号の説明】
【００４６】
１０    屋根
１１    傾斜面
１２    太陽光パネル
１２ｂ  ケーブル
１４    テーパ部材
１５    引込孔
２０    カバー部材
２１    平板部
２１ａ  挿通孔
２２    カバー部
２２１  第１通路部
２２２  第２通路部
２２３  第３通路部
２３    突出部
２４    抑え部
２５    シール部
【図１】
0005804783.tif 000002
【図２】
0005804783.tif 000003
【図３】
0005804783.tif 000004
【図４】
0005804783.tif 000005
【図５】
0005804783.tif 000006
【図６】
0005804783.tif 000007
【図７】
0005804783.tif 000008
【図８】
0005804783.tif 000009
【図９】
0005804783.tif 000010